(57)【特許請求の範囲】
【請求項１】
携帯無線装置に用いられるアンテナ装置であって、
全ての利用形態において良好なＳＡＲ特性が得られるための処置が施された第１アンテナと全ての利用形態において良好なＳＡＲ特性が得られるための処置が施されていない第２アンテナとからなるアンテナ群と、
前記携帯無線装置の送信電力を検出する第１の検出手段と、
前記第１の検出手段により検出される送信電力と予め設定された閾値とを比較する判定手段と、
前記判定手段により前記送信電力が前記閾値より高いと判定された場合は、使用するアンテナとして前記第１アンテナを選択し、前記送信電力が前記閾値より低いと判定された場合は、使用するアンテナとしてダイバーシチ動作により前記第１または第２アンテナを選択する選択手段と、
を具備することを特徴とするアンテナ装置。
【請求項２】
前記携帯無線装置と当該携帯無線装置の利用者との距離を検出する第２の検出手段をさらに有し、
前記判定手段は、予め設定されている複数の閾値の中から前記第２の検出手段により検出された前記距離に対応した閾値を選択し、当該選択された閾値を前記第１の検出手段により検出された送信電力とを比較することを特徴とする請求項１記載のアンテナ装置。
【請求項３】
前記携帯無線装置の利用者が前記判定手段に閾値を設定するための設定手段をさらに有し、
前記判定手段は前記設定手段により設定された閾値と第１の検出手段により検出される送信電力とを比較することを特徴とする請求項１記載のアンテナ装置。
【請求項４】
請求項１〜３のいずれかに記載のアンテナ装置を備える携帯無線装置。
【発明の詳細な説明】
【０００１】
【発明の属する技術分野】
本発明は、携帯電話機等の携帯無線装置と、携帯無線装置に搭載されて電波を送受するアンテナ装置に係り、特にアンテナ装置からの電波放射の際に、利用者の頭部方向への電波放射レベルを低減する技術に関するものである。
【０００２】
【従来の技術】
近年、携帯無線装置（例えば、携帯電話機）は、年々多機能化が進んでおり、その利用形態も多様化している。従来の一般的な利用形態であった携帯無線装置を頭部に密着して音声で通信する以外にも、画像と音声を同時に通信するテレビ電話や、インターネットに接続して通信するパケット通信などがある。この場合には、人体正面に携帯無線装置を配置して使用したり、接続ケーブルでパソコンと携帯無線装置を接続して机上で使用したりしている。このように携帯無線装置の利用形態は多様化している。
【０００３】
一方、携帯無線装置に内蔵するアンテナ装置は、アンテナ装置から人体頭部に発せられる電磁波を良好に保つ必要がある。人体頭部に吸収される電力量を示す指標としてＳＡＲ（Specific Absorption Rate）があるが、近年ＳＡＲが各国で法制化され、関心が高まっている。しかし、携帯無線装置の小型化や、全てのアンテナを携帯無線装置に内蔵させる要望が高く、良好なＳＡＲ特性を得るための設計難易度は高くなり、開発工数が膨大になっていた。
【０００４】
従来携帯無線装置に内蔵するアンテナ装置において、ＳＡＲを良好に保つためには以下の方法があった。まず、アンテナ装置に搭載するアンテナのアンテナ利得を下げることにより、人体頭部方向への電力放射を低減させる方法と、アンテナと人体頭部の距離を離すことで、人体頭部方向への電力放射を低減させる方法と、アンテナ形状や配置を新規に設計し直して最適化することで、人体頭部方向への電力放射を低減される方法があった。また、例えば特開２００１−２９２０６７公報に記載されるように、利用者の利用形態を検出する利用形態検出手段を有し、検出された利用形態に応じて送信電力を制御する方法があった。
【０００５】
図１２は特開２００１−２９２０６７号公報に開示されている従来の携帯無線装置の構成図である。図１２において、携帯無線装置１００１は、アンテナ装置１００２、送信部１００３、送信増幅部１００４、変調器１００５、電力制御部１００６、利用形態検出部１００７を有して構成される。携帯無線装置１００１において、送信部１００３に内蔵する変調器１００５の出力は、送信増幅部１００４に入力する。一方、利用形態検出部１００７にて検出した利用形態から、電力制御部１００６がその利用形態にあわせて、送信増幅部１００４の送信電力を制御する方式である。このことにより、利用者の利用形態に合わせて送信電力を制御することで、人体頭部方向への電力放射を低減し、良好なＳＡＲ特性を得ていた。
【０００６】
【発明が解決しようとする課題】
しかしながら、上記した従来のアンテナ装置においては、次のような問題がある。まず、アンテナ利得を下げる方法は、アンテナ利得低下に伴い、携帯無線装置や通信対向局の受信レベルが低下するため、伝送品質が低下していた。また、アンテナと人体頭部の距離を離す方法は、人体頭部との距離を確保するスペースをアンテナ装置に設ける必要があり、アンテナ装置が大型化していた。さらに、アンテナ形状や配置を最適化する方法は、アンテナ装置に内蔵するアンテナ全てにおいて、アンテナ形状や配置を最適化する必要があり、その開発工数が膨大となっていた。
【０００７】
また、利用者の使用形態に合わせて携帯端末装置の送信出力を制御する方法は、基地局と携帯端末装置の伝播損失が大きいエリア（弱電界エリア）においては、所要の受信電界を得ることができなくなり、伝送品質が劣化する場合があった。たとえば、携帯無線装置と基地局で通信が行われている場合、基地局の受信所要Ｃ／Ｎ（受信希望波電力と雑音電力の比）をＲ（ｄＢ）、携帯無線装置の送信電力をＰ（ｄＢｍ）、基地局の受信Ｃ／Ｎを（Ｒ＋ｒ）ｄＢとすると、携帯無線装置の送信電力が（Ｐ−ｒ）ｄＢｍ以下に制御された場合、基地局の所要Ｃ／ＮはＲ（ｄＢ）以下となり、伝送品質は劣化してしまう。
【０００８】
本発明は、上記の課題に鑑みてなされたものであり、開発期間を短縮でき、装置の小型化を維持し且つ、伝送品質を損なうことなく、人体頭部方向への電波放射を低減することができるアンテナ装置及びこのアンテナ装置を搭載した携帯無線装置を提供することを目的とする。
【０００９】
【課題を解決するための手段】
本発明のアンテナ装置は、携帯無線装置に用いられるアンテナ装置であって、全ての利用形態において良好なＳＡＲ特性が得られるための処置が施された第１アンテナと全ての利用形態において良好なＳＡＲ特性が得られるための処置が施されていない第２アンテナとからなるアンテナ群と、前記携帯無線装置の送信電力を検出する第１の検出手段と、前記第１の検出手段により検出される送信電力と予め設定された閾値とを比較する判定手段と、前記判定手段により前記送信電力が前記閾値より高いと判定された場合は、使用するアンテナとして前記第１アンテナを選択し、前記送信電力が前記閾値より低いと判定された場合は、使用するアンテナとしてダイバーシチ動作により前記第１または第２アンテナを選択する選択手段と、を具備することを特徴とする。
【００１０】
上記構成により、アンテナ装置は、前記携帯無線装置の送信電力を検出し、検出される送信電力に応じて、全ての利用形態において良好なＳＡＲ特性が得られるための処置が施された第１アンテナを含むアンテナ群の中から使用するアンテナを選択する。
【００１３】
本発明のアンテナ装置は、前記携帯無線装置の外部データ通信端子が使用状態にあるか否かを検出する第２の検出手段をさらに有し、前記選択手段は、前記第２の検出手段により外部データ通信端子が使用状態にあると検出された場合、前記第１の検出手段により検出される送信電力によらず、前記第１または第２アンテナを選択することを特徴とする。
【００１４】
上記構成により、外部データ通信端子の使用の有無、即ちデータ通信の有無を検出し、データ通信である場合は送信電力値に拘らず第１アンテナ、第２アンテナの中から使用するアンテナを選択し、データ通信でない場合は送信電力値に応じて第１アンテナ、第２アンテナの中から使用するアンテナを選択する。
【００１５】
本発明のアンテナ装置は、前記携帯無線装置の通信形態がハンズフリー通信か否かを検出する第２の検出手段をさらに有し、前記選択手段は、前記第２の検出手段によりハンズフリー通信状態にあると判定された場合、前記第１の検出手段により検出される送信電力によらず、前記第１または第２アンテナを選択することを特徴とする。
【００１６】
上記構成により、ハンズフリー通信の有無を検出し、ハンズフリー通信である場合は送信電力値に拘らず第１アンテナ、第２アンテナの中から使用するアンテナを選択し、ハンズフリー通信でない場合は送信電力値に応じて第１アンテナ、第２アンテナの中から使用するアンテナを選択する。
【００１７】
本発明のアンテナ装置は、前記携帯無線装置の外部音声通信端子が使用状態にあるか否かを検出する第２の検出手段をさらに有し、前記選択手段は、前記第２の検出手段により外部音声通信状態にあると検出された場合、前記第１の検出手段により検出される送信電力によらず、前記第１または第２アンテナを選択することを特徴とする。
【００１８】
上記構成により、外部音声通信の有無を検出し、外部音声通信の場合は送信電力値に拘らず第１アンテナ、第２アンテナの中から使用するアンテナを選択し、外部音声通信でない場合は送信電力値に応じて第１アンテナ、第２アンテナの中から使用するアンテナを選択する。
【００１９】
本発明のアンテナ装置は、前記携帯無線装置のカメラ部が使用状態にあるか否かを検出する第２の検出手段をさらに有し、前記選択手段は、前記第２の検出手段によりカメラ部が使用状態にあると検出された場合、前記第１の検出手段により検出される送信電力によらず、前記第１または第２アンテナを選択することを特徴とする。
【００２０】
上記構成により、カメラ使用の有無を検出し、カメラ使用の場合は送信電力値に拘らず第１アンテナ、第２アンテナの中から使用するアンテナを選択し、カメラ使用でない場合は送信電力値に応じて第１アンテナ、第２アンテナの中から使用するアンテナを選択する。
【００２１】
本発明のアンテナ装置は、前記携帯無線装置が画像通信状態にあるか否かを検出する第２の検出手段をさらに有し、前記選択手段は、前記第２の検出手段が画像通信状態にあると判定された場合、前記第１の検出手段により検出される送信電力によらず、前記第１または第２アンテナを選択することを特徴とする。
【００２２】
上記構成により、画像通信の有無を検出し、画像通信の場合は送信電力値に拘らず第１アンテナ、第２アンテナの中から使用するアンテナを選択し、画像通信でない場合は送信電力値に応じて第１アンテナ、第２アンテナの中から使用するアンテナを選択する。
【００２３】
本発明のアンテナ装置は、前記携帯無線装置の通信がパケット通信状態にあるか否かを検出する第２の検出手段をさらに有し、前記選択手段は、前記第２の検出手段によりパケット通信使用状態にあると検出された場合、前記第１の検出手段により検出される送信電力によらず、前記第１または第２アンテナを選択することを特徴とする。
【００２４】
上記構成により、パケット通信の有無を検出し、パケット通信の場合は送信電力値に拘らず第１アンテナ、第２アンテナの中から使用するアンテナを選択し、パケット通信でない場合は送信電力値に応じて第１アンテナ、第２アンテナの中から使用するアンテナを選択する。
【００２５】
本発明のアンテナ装置は、前記携帯無線装置と当該携帯無線装置の利用者との距離を検出する第２の検出手段と、前記第２の検出手段により検出される前記距離よりアンテナ装置と利用者が近接状態にあるか否かを判定する判定手段とをさらに有し、前記選択手段は、前記判定手段によりアンテナ装置と利用者が近接状態にないと判定された場合、前記第１の検出手段により検出される送信電力によらず、前記第１または第２アンテナを選択することを特徴とする。
【００２６】
上記構成により、利用者とアンテナ装置が離れているかどうかを検出し、利用者とアンテナ装置が離れている場合は送信電力値に拘らず第１アンテナ、第２アンテナの中から使用するアンテナを選択し、利用者とアンテナ装置が離れていない場合は送信電力値に応じて第１アンテナ、第２アンテナの中から使用するアンテナを選択する。
【００２７】
本発明のアンテナ装置は、前記携帯無線装置と当該携帯無線装置の利用者との距離を検出する第２の検出手段をさらに有し、前記判定手段は、予め設定されている複数の閾値の中から前記第２の検出手段により検出された前記距離に対応した閾値を選択し、当該選択された閾値を前記第１の検出手段により検出された送信電力とを比較することを特徴とする。
【００２８】
上記構成により、利用者とアンテナ装置の距離を検出し、検出した距離を考慮して送信電力の大小を判定して第１アンテナ、第２アンテナの中から使用するアンテナを選択する。
【００２９】
本発明のアンテナ装置は、前記携帯無線装置の利用者が前記判定手段に閾値を設定するための設定手段をさらに有し、前記判定手段は前記設定手段により設定された閾値と第１の検出手段により検出される送信電力とを比較することを特徴とする。
【００３０】
上記構成により、利用形態を考慮した閾値を利用者が設定し、アンテナを選択することにより、伝送品質を向上することができる。
【００３１】
本発明のアンテナ装置は、前記携帯無線装置が折り畳み式の場合、当該携帯無線装置の筐体の開閉を検出する第２の検出手段をさらに有し、前記選択手段は、前記第２の検出手段により前記筐体が閉じた状態にあると検出された場合、前記第１の検出手段により検出される送信電力によらず、前記第１、第２アンテナを選択することを特徴とする。
【００３２】
上記構成により、前記携帯無線装置の筐体の開閉を検出し、筐体の閉じている場合は送信電力値に拘らず第１アンテナ、第２アンテナの中から使用するアンテナを選択し、筐体が開いている場合は送信電力値に応じて第１アンテナ、第２アンテナの中から使用するアンテナを選択する。
【００３３】
本発明は、上記いずれかに記載のアンテナ装置を備える携帯無線装置を提供する。
【００３４】
上記構成により、携帯無線装置の使用状況や送信電力値に応じて適切なアンテナを使用して選択する。
【００３５】
【発明の実施の形態】
以下、図面を参照して本発明の実施の形態を説明する。
（第１実施の形態）
図１は、本発明の第１実施の形態に係るアンテナ装置を搭載した携帯無線装置の要部の構成を示すブロック図である。携帯無線装置１００は、アンテナ装置１０１と送信部１０２を有している。アンテナ装置１０１は第１アンテナ１０３、第２アンテナ１０４、選択手段１０５、第１の検出手段１０６、判定手段１０７を有している。
【００３６】
ここで、アンテナ１０３は、全ての使用形態において、最大送信電力時に良好なＳＡＲ特性を得られるように施されている。それに対して、第２アンテナ１０４は送信電力が小さくても能率良く電波を放射できる特性を有している。また、第１の検出手段１０６は、ダイオードなどの電力検出素子１６で構成され、判定手段１０７は、記憶部１７と、比較部１８とで構成され、選択手段１０５は、入力端子１３と、複数の出力素子１４と、入力端子１３と複数の出力端子１４を切換え接続する切換回路１５で構成される。
【００３７】
以上のように構成されたアンテナ装置について、次に動作の説明をする。送信部１０２から送出した送信波は、選択手段１０５と、第１の検出手段１０６に入力する。第１の検出手段１０６は、入力した送信波の電力を電力検出素子１６で検出して判定手段１０７に通知する。判定手段１０７の記憶部１７は、事前に閾値Ｘ１を記憶する。閾値Ｘ１は第２アンテナ１０４から送信した場合、全ての利用形態において、良好なＳＡＲ特性が得られるか否かとなる送信電力値以下の値で設定し、製造時に記憶部１７に設定するものである。比較部１８は送信電力値と閾値Ｘ１を比較し、送信電力値が閾値Ｘ１より小さいときは、第１アンテナ１０３または第２アンテナ１０４を選択するよう選択手段１０５に制御信号を送出し、送信電力値が閾値Ｘ１よりも大きい場合は、第１アンテナ１０３を選択するよう選択手段１０５に制御信号を送出する。選択手段１０５の切換回路１５は前記制御信号により入力端子１３と第１アンテナ１０３側に接続された出力端子１４を接続するか、或いは入力端子１３と第２アンテナ１０４側に接続された出力端子１４を接続するかして、前記制御信号に応じて送信部１０２と、第１アンテナ１０３或いは第２アンテナ１０４を接続する。
【００３８】
上記のように本実施の形態によれば、送信電力値に応じて適切な第１、第２アンテナ１０３、１０４のいずれかを選択して使用することにより、人体頭部方向への電力放射を低減することができると共に、アンテナ開発工数の削減と、装置の小型化を図ることができ、また伝送品質を良好に保つことができる。
【００３９】
なお、送信部１０２は第１の検出手段１０６に送信波を直接出力するのではなく、送信電力に応じたアナログまたはディジタル信号を第１の検出手段１０６に出力し、第１の検出手段１０６は、その信号を用いて閾値Ｘ１と比較しても良い。また、本実施の形態は２つのアンテナを内蔵するアンテナ装置に関して説明したが、３つ以上内蔵するアンテナ装置であってもよく、送信波の電力レベルによって、使用するアンテナを選択すれば良い。このことにより、全ての利用形態で良好なＳＡＲ特性を得るアンテナを一つ搭載すればよく、たとえば、ｎ個のアンテナを搭載するアンテナ装置においては、良好なＳＡＲ特性を得るために必要なアンテナの開発工数を１／ｎにすることができる。
【００４０】
さらに、全てのアンテナと人体頭部の距離を確保することによって、良好なＳＡＲ特性を得る場合、そのアンテナの容積が従来と比較してｍ倍となれば、アンテナ装置の容積もｍ倍となる。しかし、本例の構成によれば、最大送信時に良好なＳＡＲ特性を得るアンテナを一つ搭載すればよく、アンテナ装置としての容量増加は（１＋（ｍ−１）／ｎ）倍とすることができる。また、本例の構成では、アンテナ利得や送信電力レベルを下げることなく、良好なＳＡＲ特性が得られるため、伝送品質が低下することを防止することができる。
【００４１】
（第２実施の形態）
図２は、本発明の第２実施の形態に係るアンテナ装置を搭載した携帯無線装置の要部の構成を示すブロック図である。但し、図１に示した第１実施の形態と同様の部分は同一符号を付し、その説明を適宜省略する。図２に示す携帯無線装置１００において、アンテナ装置１０１は、第１の検出手段１０６の他に第２の検出手段１２２及びこれら第１の検出手段１０６、第２の検出手段１２２による送信電力値から使用するアンテナを判定する判定手段１２３が設けられ、また、第２の検出手段１２２には外部データ通信端子１２１が接続されている。ここで、第２の検出手段１２２は、外部データ通信端子１２１に近接して配置したスイッチ部で構成され、判定手段１２３は、記憶部１７と比較部１８とで構成される。その他の構成は第１実施の形態と同様である。
【００４２】
以上のように構成されたアンテナ装置について、次に動作の説明をする。判定手段１２３の記憶部１７は事前に閾値Ｘ２を記憶する。閾値Ｘ２は第２アンテナ１０４から送信した場合、全ての利用形態において、良好なＳＡＲ特性が得られるか否かとなる送信電力値以下の値で設定し、製造時に記憶部１７に設定するものである。第２の検出手段１２２は、外部データ通信端子１２１に外部データケーブルが挿入されているか否かをスイッチ部にて検出し、その検出結果を判定手段１２３に通知する。判定手段１２３は外部データ通信端子１２１が使用されている場合、第１の検出手段１０６の検出結果にか拘らず、第１アンテナ１０３または第２アンテナ１０４を選択するよう選択手段１０５に制御信号を送出する。
【００４３】
判定手段１２３では、外部データ通信端子１２１が使用されていない場合、比較部１８は、第１の検出手段１０６が検出した送信部１０２の送信電力値と閾値Ｘ２を比較する。この比較により、送信電力値が閾値Ｘ２より小さいときは、第１アンテナ１０３または第２アンテナ１０４を選択するよう選択手段１０５に制御信号を送出し、送信電力値が閾値Ｘ２よりも大きいときは、第１アンテナ１０３を選択するよう選択手段１０５に制御信号を送出する。
【００４４】
本実施の形態によれば、外部データ通信端子１２１を使用している場合は、携帯無線装置１００をケーブルでパソコン等の外部機器と接続して使用する利用形態であり、人体頭部に密着して使用する利用形態でないため、効率のよい第２アンテナ１０４を選択し、最大送信電力で効率良く送信しても、良好なＳＡＲ特性が得られる。
【００４５】
したがって、外部データ通信端子１２１を使用している場合は、第１アンテナ１０３及び第２アンテナ１０４を選択できることで、送信電力によらずアンテナダイバーシチ動作を行なうことが可能となり、伝送品質を向上させることができる。このアンテナダイバーシチ動作の効果は、例えばＰＨＳで２つのアンテナでダイバーシチ動作を行なった場合、受信感度は６ｄＢ向上する例がある。
【００４６】
結局、本実施の形態によれば、外部データ通信端子１２１の使用の有無を検出し、アンテナを選択することにより、外部データ通信端子１２１の使用時の伝送品質を向上させることができる。
【００４７】
（第３実施の形態）
図３は、本発明の第３実施の形態に係るアンテナ装置を搭載した携帯無線装置の要部の構成を示すブロック図である。但し、図１に示した第１実施の形態と同様の部分は同一符号を付し、その説明を適宜省略する。図３に示す携帯無線装置１００において、アンテナ装置１０１は、第１の検出手段１０６の他に第２の検出手段１３２及びこれら第１の検出手段１０６、第２の検出手段１３２による送信電力値から使用するアンテナを判定する判定手段１３３が設けられ、また、第２の検出手段１３２には利用者設定記憶部１３１が接続されている。ここで、第２の検出手段１３２は、データ検出部で構成され、判定手段１３３は、記憶部１７と比較部１８とで構成される。その他の構成は第１実施の形態と同様である。
【００４８】
以上のように構成されたアンテナ装置について、次に動作の説明をする。判定手段１３３の記憶部１７は事前に閾値Ｘ３を記憶する。閾値Ｘ３は第２アンテナ１０４から電波を送信した場合、全ての利用形態において良好なＳＡＲ特性が得られるか否かとなる送信電力値以下の値で設定し、製造時に記憶部１７に設定するものである。
【００４９】
第２の検出手段１３２は利用者設定記憶部１３１に記憶されているハンズフリー通話設定を読み出すことで、携帯無線装置１００のモードがハンズフリー通信であるか否かを検出し、検出結果は判定手段１３３に通知される。判定手段１３３は、ハンズフリー通話の場合、第１の検出手段１０６の検出結果に拘らず、第１アンテナ１０３または第２アンテナ１０４を選択するよう選択手段１０５に制御信号を送出する。
【００５０】
一方、判定手段１３３の比較部１８は、ハンズフリー通話でない場合、第１の検出手段１０６により検出された送信部１０２の送信電力値を記憶部１７に記憶されている閾値Ｘ３と比較し、送信電力値が閾値Ｘ３より小さいときは、第１アンテナ１０３または第２アンテナ１０４を選択するよう選択手段１０５に制御信号を送出し、送信電力値が閾値Ｘ３よりも大きいときは、第１アンテナ１０３を選択するよう選択手段１０５に制御信号を送出する。
【００５１】
本実施の形態によれば、ハンズフリー通話の場合は、携帯無線装置１００を人体から離して通信する利用形態であり、人体頭部に密着して使用する利用形態でないため、第２アンテナ１０４を選択し、最大送信電力で効率良く送信しても、良好なＳＡＲ特性が得られる。
【００５２】
したがって、ハンズフリー通信の場合は、第１アンテナ１０３及び第２アンテナ１０４を選択できることで、送信電力によらずアンテナダイバーシチ動作を行なうことが可能となり、伝送品質を向上することができる。
【００５３】
結局、本実施の形態によれば、ハンズフリー通信か否かを検出し、その検出結果により使用するアンテナを選択することにより、ハンズフリー通信時の伝送品質を向上させることができる。
【００５４】
（第４実施の形態）
図４は、本発明の第４実施の形態に係るアンテナ装置を搭載した携帯無線装置の要部の構成を示すブロック図である。但し、図１に示した第１実施の形態と同様の部分は同一符号を付し、その説明を適宜省略する。図４に示す携帯無線装置１００において、アンテナ装置１０１は、第１の検出手段１０６の他に第２の検出手段１４２及びこれら第１の検出手段１０６、第２の検出手段１４２による送信電力値から使用するアンテナを判定する判定手段１４３が設けられ、また、第２の検出手段１４２には外部音声通信端子１４１が接続されている。ここで、第２の検出手段１４２は、外部通信端子１４１に近接して配置したスイッチ部で構成され、外部音声通信端子１４１の使用の有無を検出するもので、判定手段１４３は記憶部１７と比較部１８とで構成される。その他の構成は第１実施の形態と同様である。
【００５５】
以上のように構成されたアンテナ装置について、次に動作の説明をする。判定手段１４３の記憶部１７は事前に閾値Ｘ４を記憶する。閾値Ｘ４は第２アンテナ１０４から送信した場合、全ての利用形態において、良好なＳＡＲ特性が得られるか否かとなる送信電力値以下の値で設定し、製造時に記憶部１７に設定するものである。
【００５６】
第２の検出手段１４２ は外部音声通信端子１４１に外部音声ケーブルが挿入されているか否かをスイッチ部にて検出することで、外部音声通信端子１４１の使用の有無を検出する。検出結果は、判定手段１４３に通知される。判定手段１４３ は、外部音声通信端子１４１が使用されている場合、第１の検出手段１０６の検出結果に拘らず、第１アンテナ１０３または第２アンテナ１０４を選択するよう選択手段１０５に制御信号を送出する。
【００５７】
一方、外部音声通信端子１４１が使用されていない場合、判定手段の比較部１８は、第１の検出手段１０６により検出された送信部１０２の送信電力値を記憶部１７に記憶されている閾値Ｘ４と比較し、送信電力値が閾値Ｘ４より小さいときは、第１アンテナ１０３または第２アンテナ１０４を選択するよう選択手段１０５に制御信号を送出し、送信電力値が閾値Ｘ４よりも大きいときは、第１アンテナ１０３を選択するよう選択手段１０５ に制御信号を送出する。
【００５８】
本実施の形態によれば、外部音声通信端子１４１を使用している場合は、携帯無線装置１００とヘッドホンやヘッドセットの外部音声機器をケーブルで接続して使用する利用形態であり、人体頭部に密着して使用する利用形態でないため、第２アンテナ１０４を選択して最大送信電力で効率良く送信しても、良好なＳＡＲ特性が得られる。
【００５９】
したがって、外部音声通信端子１４１を使用している場合は、第１アンテナ１０３及び第２アンテナ１０４を選択できることで、送信電力によらずアンテナダイバーシチ動作を行なうことが可能となり、伝送品質を向上することができる。
【００６０】
結局、本実施の形態によれば、外部音声通信端子１４１ の使用の有無を検出して適切なアンテナを選択することにより、外部音声通信端子使用時の伝送品質を向上させることができる。
【００６１】
（第５実施の形態）
図５は、本発明の第５実施の形態に係るアンテナ装置を搭載した携帯無線装置の要部の構成を示すブロック図である。但し、図１に示した第１実施の形態と同様の部分は同一符号を付し、その説明を適宜省略する。図５に示す携帯無線装置１００において、アンテナ装置１０１は、第１の検出手段１０６の他に第２の検出手段１５２ 及びこれら第１の検出手段１０６、第２の検出手段１５２ による送信電力値から使用するアンテナを判定する判定手段１５３ が設けられ、また、第２の検出手段１５２ にはカメラ部１５１ が接続されている。ここで、第２の検出手段１５２ は、電圧検出部で構成され、判定手段１５３ は、記憶部１７と比較部１８とで構成される。その他の構成は第１実施の形態と同様である。
【００６２】
以上のように構成されたアンテナ装置について、次に動作の説明をする。判定手段１５３の記憶部１７は事前に閾値Ｘ５を記憶する。閾値Ｘ５は第２アンテナ１０４から送信した場合、全ての利用形態において、良好なＳＡＲ特性が得られるか否かとなる送信電力値以下の値で設定し、製造時に記憶部１７に設定するものである。
【００６３】
第２の検出手段１５２ はカメラ部１５１の電源電圧を、電圧検出部にて読み出すことでカメラ部１５１が使用状態であるか否かを検出し、検出結果を判定手段１５３に通知する。判定手段１５３ は、カメラ部１５１が使用されている場合、第１の検出手段１０６の検出結果に拘らず、第１アンテナ１０３または第２アンテナ１０４を選択するよう選択手段１０５に制御信号を送出する。
【００６４】
一方、カメラ部１５１が使用状態でない場合、判定手段１５３ の比較部１８は、第１の検出手段１０６により検出された送信部１０２の送信電力値を記憶部１７に記憶されている閾値Ｘ５と比較し、送信電力値が閾値Ｘ５より小さいときは、第１アンテナ１０３または第２アンテナ１０４を選択するよう選択手段１０５に制御信号を送出し、送信電力値が閾値Ｘ５よりも大きいときは、第１アンテナ１０３を選択するよう選択手段１０５に制御信号を送出する。
【００６５】
本実施の形態によれば、カメラ部１５１が使用状態の場合は、携帯無線装置１００を人体から離して画面を見ながら通信する利用形態であり、人体頭部に密着して使用する利用形態でない。そのため、第２アンテナ１０４を選択し、最大送信電力で効率良く送信しても、良好なＳＡＲ特性が得られる。
【００６６】
したがって、カメラ部１５１が使用状態での通信の場合は、第１アンテナ１０３及び第２アンテナ１０４を選択できることで、送信電力によらずアンテナダイバーシチ動作を行なうことが可能となり、伝送品質を向上させることができる。
【００６７】
結局、本実施の形態によれば、カメラ部１５１が使用状態か否かを検出し、適切なアンテナを選択することにより、カメラ部１５１が使用状態での通信の伝送品質を向上させることができる。
【００６８】
（第６実施の形態）
図６は、本発明の第６実施の形態に係るアンテナ装置を搭載した携帯無線装置の要部の構成を示すブロック図である。但し、図１に示した第１実施の形態と同様の部分は同一符号を付し、その説明を適宜省略する。図５に示す携帯無線装置１００において、アンテナ装置１０１は、第１の検出手段１０６の他に第２の検出手段１６２ 及びこれら第１の検出手段１０６、第２の検出手段１６２ による送信電力値から使用するアンテナを判定する判定手段１６３ が設けられ、また、第２の検出手段１６２ には制御部１６１ が接続されている。ここで、第２の検出手段１６２ は、通信の種類を判別する呼判別回路で構成され、判定手段１６３ は、記憶部１７と比較部１８とで構成される。その他の構成は第１実施の形態と同様である。
【００６９】
以上のように構成されたアンテナ装置について、次に動作の説明をする。判定手段１６３の記憶部１７は事前に閾値Ｘ５を記憶する。閾値Ｘ５は第２アンテナ１０４から送信した場合、全ての利用形態において、良好なＳＡＲ特性が得られるか否かとなる送信電力値以下の値で設定し、製造時に記憶部１７に設定するものである。
【００７０】
第２の検出手段１６２ は制御部１６１の呼判別回路から、呼が画像通信であるか否かを検出し、検出結果を判定手段１６３に通知する。判定手段１６３ は、画像通信である場合、第１の検出手段１０６の検出結果に拘らず、第１アンテナ１０３または第２アンテナ１０４を選択するよう選択手段１０５に制御信号を送出する。
【００７１】
一方、画像通信でない場合、判定手段１６３ の比較部１８は、第１の検出手段１０６により検出された送信部１０２の送信電力値を記憶部１７に記憶されている閾値Ｘ６と比較し、送信電力値が閾値Ｘ６より小さいときは、第１アンテナ１０３または第２アンテナ１０４を選択するよう選択手段１０５に制御信号を送出し、送信電力値が閾値Ｘ６よりも大きいときは、第１アンテナ１０３を選択するよう選択手段１０５ に制御信号を送出する。
【００７２】
本実施の形態によれば、画像通信の場合は、携帯無線装置１００を人体から離して画面を見ながら通信する利用形態であり、人体頭部に密着して使用する利用形態でない。そのため、第２アンテナ１０４を選択し、最大送信電力で効率良く送信しても、良好なＳＡＲ特性が得られる。
【００７３】
したがって、画像通信の場合は、第１アンテナ１０３及び第２アンテナ１０４を選択できることで、送信電力によらずアンテナダイバーシチ動作を行なうことが可能となり、伝送品質を向上することができる。
【００７４】
結局、本実施の形態によれば、画像通信か否かを検出して適切なアンテナを選択することにより得られる上記両効果により、画像通信時の伝送品質を向上させることができる。
【００７５】
（第７実施の形態）
図７は、本発明の第７実施の形態に係るアンテナ装置を搭載した携帯無線装置の要部の構成を示すブロック図である。但し、図１に示した第１実施の形態と同様の部分は同一符号を付し、その説明を適宜省略する。図７に示す携帯無線装置１００において、アンテナ装置１０１は、第１の検出手段１０６の他に第２の検出手段１７２ 及びこれら第１の検出手段１０６、第２の検出手段１７２ による送信電力値から使用するアンテナを判定する判定手段１７３ が設けられ、また、第２の検出手段１７２ には制御部１７１ が接続されている。ここで、制御部１７１ は通信がパケット通信であるか回線交換であるかを判別する呼判別回路で構成され、第２の検出手段１７２は通信の種類を検出する呼検出部で構成され、判定手段１７３ は、記憶部１７と比較部１８とで構成される。その他の構成は第１実施の形態と同様である。
【００７６】
以上のように構成されたアンテナ装置について、次に動作の説明をする。判定手段１７３ の記憶部１７は事前に閾値Ｘ７を記憶する。閾値Ｘ７は第２アンテナ１０４から送信した場合、全ての利用形態において、良好なＳＡＲ特性が得られるか否かとなる送信電力値以下の値で設定し、製造時に記憶部１７に設定するものである。
【００７７】
制御部１７１の呼判別回路は、呼がパケット通信であるか回線交換であるかを判別する。この判別方法は、利用者が発呼する際のキー操作により判別し、判別結果は、第２の検出手段１７２に通知する。第２の検出手段１７２ は、パケット通信か否かを検出して判定手段１７３に通知する。判定手段１７３ は、パケット通信の場合、第１の検出手段１０６の検出結果に拘らず、第１アンテナ１０３または第２アンテナ１０４を選択するよう選択手段１０５に制御信号を送出する。
【００７８】
一方、パケット通信でない場合、判定手段１７３ の比較部１８は、第１の検出手段１０６により検出された送信部１０２の送信電力値を記憶部１７に記憶されている閾値Ｘ７と比較し、送信電力値が閾値Ｘ７より小さいときは、第１アンテナ１０３または第２アンテナ１０４を選択するよう選択手段１０５に制御信号を送出し、送信電力値が閾値Ｘ７よりも大きいときは、第１アンテナ１０３を選択するよう選択手段１０５ に制御信号を送出する。
【００７９】
本実施の形態によれば、メール等を送信するパケット通信の場合は、携帯無線装置１００を人体から離して画面を見ながら通信する利用形態であり、人体頭部に密着して使用する利用形態でない。そのため、第２アンテナ１０４を選択し、最大送信電力で効率良く送信しても、良好なＳＡＲ特性が得られる。
【００８０】
したがって、パケット通信の場合は、第１アンテナ１０３及び第２アンテナ１０４を選択できることで、送信電力によらずアンテナダイバーシチ動作を行なうことが可能となり、伝送品質を向上させることができる。
【００８１】
結局、本実施の形態によれば、パケット通信か否かを検出してアンテナを選択することにより得られる上記両効果により、パケット通信時の伝送品質を向上することができる。
【００８２】
（第８実施の形態）
図８は、本発明の第８実施の形態に係るアンテナ装置を搭載した携帯無線装置の要部の構成を示すブロック図である。但し、図１に示した第１実施の形態と同様の部分は同一符号を付し、その説明を適宜省略する。図８に示す携帯無線装置１００において、アンテナ装置１０１は、第１の検出手段１０６の他に第２の検出手段１８１ 及びこれら第１の検出手段１０６、第２の検出手段１８１ による送信電力値から使用するアンテナを判定する判定手段１８２ が設けられ、ここで、第２の検出手段１８１ は、レーザ送信部２１と受信部２２と演算部２３で構成され、判定手段１８３ は、記憶部１７と比較部１８とで構成される。その他の構成は第１実施の形態と同様である。
【００８３】
以上のように構成されたアンテナ装置について、次に動作の説明をする。判定手段１３３の記憶部１７は事前に閾値Ｘ８１とＸ８２を記憶する。閾値Ｘ８１は第２アンテナ１０４から送信した場合、全ての利用形態において、良好なＳＡＲ特性が得られるか否かとなる送信電力値以下の値で設定する。閾値Ｘ８２は第２アンテナ１０４から最大送信電力で送信した場合、良好なＳＡＲ特性が得られるか否かとなる人体頭部とアンテナ装置１０１の距離以上の値で設定する。ここで、人体頭部とアンテナ装置１０１の距離が閾値Ｘ８２より小さいとき近接状態であると呼ぶ。
【００８４】
第２の検出手段１８１はレーザ送信部２１から利用者に向けてレーザを放射し、放射したレーザの反射波を受信部２２にて受信する。この演算部２３によりレーザ送受信の伝播時間を求めて利用者とアンテナ装置１０１の距離を検出し、検出結果を判定手段１８２に通知する。判定手段１８２の比較部１８は利用者とアンテナ装置１０１の距離を記憶部の閾値Ｘ８２と比較して、人体頭部とアンテナ装置１０１の距離が閾値Ｘ８２より小さいとき、人体頭部とアンテナ装置１０１は近接状態である判断し、人体頭部とアンテナ装置１０１の距離が閾値Ｘ８２より大きいとき、人体頭部とアンテナ装置１０１は近接状態にないと判断する。
【００８５】
判定手段１８２の比較部１８は、人体頭部とアンテナ装置１０１の距離が近接状態でない場合、第１の検出手段１０６の検出結果に拘らず、第１アンテナ１０３または第２アンテナ１０４を選択するよう選択手段１０５に制御信号を送出する。
【００８６】
一方、人体頭部とアンテナ装置１０１の距離が近接状態である場合、判定手段１８２の比較部１８は、第１の検出手段１０６により検出された送信部１０２の送信電力値を記憶部１７に記憶されている閾値Ｘ８１と比較し、送信電力値が閾値Ｘ８１より小さいときは、第１アンテナ１０３または第２アンテナ１０４を選択するよう選択手段１０５に制御信号を送出し、送信電力値が閾値Ｘ８１よりも大きいときは、第１アンテナ１０３を選択するよう選択手段１０５ に制御信号を送出する。
【００８７】
本実施の形態によれば、人体頭部とアンテナ装置の距離が近接状態でない場合は、人体頭部に密着して使用する利用形態でない。そのため、第２アンテナ１０４を選択し、最大送信電力で効率良く送信しても、良好なＳＡＲ特性が得られる。
したがって、人体頭部とアンテナ装置１０１の距離が近接状態でない場合は、第１アンテナ１０３及び第２アンテナ１０４を選択できることで、送信電力によらずアンテナダイバーシチ動作を行なうことが可能となり、伝送品質を向上させることができる。
【００８８】
結局、本実施の形態によれば、人体頭部とアンテナ装置の距離が近接状態か否かを検出して適切なアンテナを選択することにより、人体頭部とアンテナ装置１０１の距離が近接状態でない場合の伝送品質を向上させることができる。
【００８９】
（第９実施の形態）
図９は、本発明の第９実施の形態に係るアンテナ装置を搭載した携帯無線装置の要部の構成を示すブロック図である。但し、図１に示した第１実施の形態と同様の部分は同一符号を付し、その説明を適宜省略する。図９に示す携帯無線装置１００において、アンテナ装置１０１は、第１の検出手段１０６の他に第２の検出手段１９１ 、メモリ部１９３ 及び第１の検出手段１０６、第２の検出手段１９１ による送信電力値から使用するアンテナを判定する判定手段１９２ が設けられている。ここで、第２の検出手段１９１ はレーザ送信部２１と受信部２２と演算部２３で構成され、判定手段１９２ は、記憶部１７と比較部１８とで構成される。その他の構成は第１実施の形態と同様である。
【００９０】
以上のように構成されたアンテナ装置について、次に動作の説明をする。メモリ部１９３ には事前に複数の閾値Ｘ９が記憶されている。この閾値Ｘ９は送信部１０２の送信信号を第２アンテナ１０４から送信した場合に、利用者とアンテナ装置との距離において、良好なＳＡＲ特性が得られるか否かとなる送信電力値以下の値で、この値は利用者とアンテナ装置の距離応じて変化するため、装置の製造時に、利用者とアンテナ装置の距離に対応した複数の閾値Ｘ９がメモリ部１９３ に記憶されている。
【００９１】
第２の検出手段１９１ はレーザ送信部２１から利用者に向けてレーザを放射し、放射したレーザの反射波を受信部２２にて受信した後、演算部２３によりレーザ送受信の伝播時間を求めて利用者とアンテナ装置１０１の距離を検出し、検出結果を判定手段１９２ に通知する。判定手段１９２ は検出された利用者とアンテナ装置１０１の距離に応じた閾値Ｘ９を読み出して記憶部１７に記憶する。
【００９２】
次に判定手段１９２ の比較部は、記憶部１７の閾値Ｘ９と第１の検出手段にて検出される送信部１０２からの送信電力値とを比較し、検出した送信電力値が閾値Ｘ９より小さい場合は、第１アンテナ１０３または第２アンテナ１０４を選択するよう選択手段１０５に制御信号を送出し、検出した送信電力値が閾値Ｘ９よりも大きい場合は、第１アンテナ１０３を選択する。
【００９３】
本実施の形態によれば、人体頭部とアンテナ装置１０１の距離に応じて、第２アンテナ１０４から送信しても良好なＳＡＲ特性が得られる送信電力値である場合のみ、第２アンテナを選択して信号を送信するため、良好なＳＡＲ特性を保持しつつ、効率のよい送信を行うことができる。
【００９４】
従って、第１アンテナ１０３及び第２アンテナ１０４を選択できることで、送信電力によらずアンテナダイバーシチ動作を行なうことが可能となり、伝送品質を向上することができる。
【００９５】
結局、本実施の形態によれば、人体頭部とアンテナ装置の距離に応じてアンテナを選択することにより、良好なＳＡＲ特性を保持しつつ、信号の伝送品質を向上させることができる。
【００９６】
（第１０実施の形態）
図１０は、本発明の第１０実施の形態に係るアンテナ装置を搭載した携帯無線装置の要部の構成を示すブロック図である。但し、図１に示した第１実施の形態と同様の部分は同一符号を付し、その説明を適宜省略する。図１０に示す携帯無線装置１００において、アンテナ装置１０１には、判定手段２０２ に接続される設定手段２０１ と、この設定手段２０１ の設定値と第１の検出手段１０６の検出結果にに基づいて使用するアンテナを判定する判定手段２０２ が設けられている。ここで、設定手段２０１はテンキーや音声認識回路の入力装置で構成され、判定手段２０２は、記憶部１７と比較部１８とで構成される。その他の構成は第１実施の形態と同様である。
【００９７】
以上のように構成されたアンテナ装置について、次に動作の説明をする。利用者は、設定手段２０１から携帯無線装置１００の利用形態に応じて判定手段２０２の記憶部１７に閾値Ｘ１０を設定する。閾値Ｘ１０の設定値は以下の方法で決定する。利用者の携帯無線装置１００の利用形態において、アンテナ装置１０１と人体頭部の距離をＤ１０とする。一方、距離Ｄ１０で第２アンテナ１０４から送信した場合、良好なＳＡＲ特性が得られるか否かの閾値となる送信電力をＸ１０１とする。利用者は送信電力値がＸ１０１以下となるような閾値Ｘ１０を設定手段２０１から判定手段２０２の記憶部１７に設定する。
【００９８】
その後、に判定手段１９２ の比較部１８は、記憶部１７の閾値Ｘ１０と第１の検出手段１０６にて検出する送信部１０２からの送信電力値とを比較し、検出した送信電力値が閾値Ｘ１０より小さい場合は、第１アンテナ１０３または第２アンテナ１０４を選択するよう選択手段１０５に制御信号を送出し、検出した送信電力値が閾値Ｘ１０よりも大きい場合は、第１アンテナ１０３を選択する。
【００９９】
本実施の形態によれば、利用形態に合わせた閾値を利用者が設定することで、良好なＳＡＲ特性が得られ且つ、第１アンテナ１０３及び第２アンテナ１０４を選択できることで、送信電力によらずアンテナダイバーシチ動作を行なうことが可能となり、伝送品質を向上することができる。このため、本実施の形態によれば、利用形態に合わせた閾値を利用者が設定し、設定された閾値に基づいて適切なアンテナを選択することにより、良好なＳＡＲ特性を保持しつつ、信号の伝送品質を向上させることができる。
【０１００】
（第１１実施の形態）
図１１は、本発明の第１１実施の形態に係るアンテナ装置を搭載した携帯無線装置の要部の構成を示すブロック図である。但し、図１に示した第１実施の形態と同様の部分は同一符号を付し、その説明を適宜省略する。図１１に示す携帯無線装置１００において、アンテナ装置１０１は、第１の検出手段１０６の他に第２の検出手段２１１ 及びこれら第１の検出手段１０６、第２の検出手段２１１ による送信電力値から使用するアンテナを判定する判定手段２１２ が設けられている。ここで、第２の検出手段２１１ は筐体開閉検出回路で構成され、判定手段２１２ は、記憶部１７と比較部１８とで構成される。その他の構成は第１実施の形態と同様である。
【０１０１】
以上のように構成されたアンテナ装置について、次に動作の説明をする。判定手段２１２ の記憶部１７は事前に閾値Ｘ１１を記憶する。閾値Ｘ１１は第２アンテナ１０４から送信した場合、全ての利用形態において、良好なＳＡＲ特性が得られるか否かとなる送信電力値以下の値で設定し、製造時に記憶部１７に設定するものである。
【０１０２】
第２の検出手段２１１は筐体開閉検出回路で携帯無線装置１００の折り畳み式筐体の開閉を検出する。この開閉の検出は、ホール素子と磁石をそれぞれの筐体に配置し、筐体を閉じた場合にはホール素子と磁石が近接し、筐体を開いた場合にはホール素子と磁石が離れるよう配置する構成により行うことができる。または、開閉される２個の筐体の夫々に突起部とスイッチを設け、これら突起部がスイッチをオン、オフすることにより、前記筐体の開閉を検出してもよい。
【０１０３】
折り畳み式携帯無線装置１００の筐体の開閉は第２の検出手段２１１により検出され、その検出結果は判定手段２１２に通知される。判定手段２１２ の比較部１７は、筐体が閉じている場合は、第１アンテナ１０３または第２アンテナ１０４を選択するよう選択手段１０５に制御信号を送出する。一方、筐体が開いている場合、判定部２１２ の比較部１７は、送信電力値が閾値Ｘ１１より小さいときは、第１アンテナ１０３または第２アンテナ１０４を選択するよう選択手段１０５に制御信号を送出し、送信電力値１が閾値Ｘ１１よりも大きいときは、第１アンテナ１０３を選択するよう選択手段１０５ に制御信号を送出する。
【０１０４】
本実施の形態によれば、携帯無線装置１００の筐体を閉じている場合は、携帯無線装置１００を人体から離して通信する利用形態であり、人体頭部に密着して使用する利用形態でない。そのため、第２アンテナ１０４を選択し、最大送信電力で効率良く送信しても、良好なＳＡＲ特性が得られる。
【０１０５】
したがって、筐体を閉じている場合は、第１アンテナ１０３及び第２アンテナ１０４を選択できることで、送信電力によらずアンテナダイバーシチ動作を行なうことが可能となり、伝送品質を向上することができる。
【０１０６】
結局、本実施の形態によれば、折り畳み式携帯無線装置１００の筐体の開閉を検出して適切なアンテナを選択することにより、携帯無線装置１００の筐体を閉じている場合の伝送品質を向上させることができる。
【０１０７】
上述のように、本実施の形態によれば、送信電力値によって使用するアンテナを適切に選択することにより、良好なＳＡＲ特性を確保することができると共に、アンテナの開発期間を短縮化及び装置を小型化でき且つ、伝送品質を向上させることができる。
【０１０８】
また、データ通信の有無及び送信電力値によって使用するアンテナを適切に選択することにより、良好なＳＡＲ特性を確保することができると共に、アンテナの開発期間を短縮化及び装置を小型化でき且つ、伝送品質を向上させることができ、特にデータ通信時の伝送品質を向上させることができる。
【０１０９】
また、ハンズフリー通信の有無及び送信電力値によって使用するアンテナを適切に選択することにより、良好なＳＡＲ特性を確保することができると共に、アンテナの開発期間を短縮及び装置を小型化でき且つ、伝送品質を向上させることができ、特にハンズフリー通信時の伝送品質を向上させることができる。
【０１１０】
また、外部通信の有無及び送信電力値によって使用するアンテナを適切に選択することにより、良好なＳＡＲ特性を確保することができると共に、アンテナの開発期間を短縮化及び装置を小型化でき且つ、伝送品質を向上させることができ、特に外部通信時の伝送品質を向上させることができる。
【０１１１】
また、カメラ使用時の有無及び送信電力値によって使用するアンテナを適切に選択することにより、良好なＳＡＲ特性を確保することができると共に、アンテナの開発期間を短縮化及び装置を小型化でき且つ、伝送品質を向上させることができ、特にハンズフリー通信時の伝送品質を向上させることができる。
【０１１２】
また、画像通信の有無及び送信電力値によって使用するアンテナを適切に選択することにより、良好なＳＡＲ特性を確保することができると共に、アンテナの開発期間を短縮化及び装置を小型化でき且つ、伝送品質を向上させることができ、特に画像通信時の伝送品質を向上することができる。  請求項８に記載の発明によれば、パケット通信の有無及び送信電力値によって使用するアンテナを適切に選択することにより、良好なＳＡＲ特性を確保することができると共に、アンテナの開発期間を短縮化及び装置を小型化でき且つ、伝送品質を向上させることができ、特にパケット通信の伝送品質を向上させることができる。
【０１１３】
また、利用者とアンテナ装置の距離及び送信電力値によって使用するアンテナを適切に選択することにより、良好なＳＡＲ特性を確保することができると共に、アンテナの開発期間を短縮化及び装置を小型化でき且つ、伝送品質を向上させることができ、特に利用者とアンテナ装置が離れている時の伝送品質を向上させることができる。
【０１１４】
また、利用者とアンテナ装置の距離及び送信電力値によって使用するアンテナを適切に選択することにより、伝送品質を向上させることができる。
【０１１５】
また、利用形態を考慮した閾値を利用者が設定して使用するアンテナを選択することにより、伝送品質を向上させることができる。
【０１１６】
また、携帯無線装置の筐体の開閉の有無び送信電力値によって使用するアンテナを適切に選択することにより、良好なＳＡＲ特性を確保することができると共に、アンテナの開発期間を短縮化及び装置を小型化でき且つ、伝送品質を向上させることができ、特に筐体の閉じている時の伝送品質を向上させることができる。
【０１１７】
【発明の効果】
以上説明したように本発明によれば、アンテナ装置及びこのアンテナ装置を搭載した携帯無線装置において、開発期間を短縮でき、装置の小型化を維持し且つ、伝送品質を損なうことなく、人体頭部方向への電波放射を低減することが可能となる効果がある。
【図面の簡単な説明】
【図１】本発明の第１実施の形態に係るアンテナ装置を搭載した携帯無線装置の構成を示すブロック図。
【図２】本発明の第２実施の形態に係るアンテナ装置を搭載した携帯無線装置の構成を示すブロック図。
【図３】本発明の第３実施の形態に係るアンテナ装置を搭載した携帯無線装置の構成を示すブロック図。
【図４】本発明の第４実施の形態に係るアンテナ装置を搭載した携帯無線装置の構成を示すブロック図。
【図５】本発明の第５実施の形態に係るアンテナ装置を搭載した携帯無線装置の構成を示すブロック図。
【図６】本発明の第６実施の形態に係るアンテナ装置を搭載した携帯無線装置の構成を示すブロック図。
【図７】本発明の第７実施の形態に係るアンテナ装置を搭載した携帯無線装置の構成を示すブロック図。
【図８】本発明の第８実施の形態に係るアンテナ装置を搭載した携帯無線装置の構成を示すブロック図。
【図９】本発明の第９実施の形態に係るアンテナ装置を搭載した携帯無線装置の構成を示すブロック図。
【図１０】本発明の第１０実施の形態に係るアンテナ装置を搭載した携帯無線装置の構成を示すブロック図。
【図１１】本発明の第１１実施の形態に係るアンテナ装置を搭載した携帯無線装置の構成を示すブロック図。
【図１２】従来の形態のアンテナ装置を搭載した携帯無線装置の構成を示すブロック図。
【符号の説明】
１００  携帯無線装置
１０１  アンテナ装置
１０２  送信部
１０３  第１アンテナ
１０４  第２アンテナ
１０５  選択手段
１０６  第１の検出手段
１０７、１２３、１３３、１４３、１５３、１６３、１７３、１８２、１９２、２０２、２１２   判定手段
１２１  外部データ通信端子
１３１  利用者設定記憶部
１４１  外部音声通信端子
１５１  カメラ部
１６１、１７１  制御部
１２２、１３２、１４２、１５２、１６２、１７２、１８１、１９１、２１１第２の検出手段
１９３  メモリ部
２０１  設定部
【図１】
0004025103.tif 000002
【図２】
0004025103.tif 000003
【図３】
0004025103.tif 000004
【図４】
0004025103.tif 000005
【図５】
0004025103.tif 000006
【図６】
0004025103.tif 000007
【図７】
0004025103.tif 000008
【図８】
0004025103.tif 000009
【図９】
0004025103.tif 000010
【図１０】
0004025103.tif 000011
【図１１】
0004025103.tif 000012
【図１２】
0004025103.tif 000013